(57)【要約】  軸方向中央を有する管状のブランケットは、均一な厚さを有するキャリヤスリーブ層と、圧縮可能層と、圧縮可能層の上側に配置された補強層と、補強層の上側に配置された印刷層とを有している。補強層又は圧縮可能層のうちの少なくとも一方は、軸方向中央においてより厚くなるように不均一な厚さを有している。印刷層の外面は凸状である。
2007527813.tif 000002
【特許請求の範囲】
【請求項１】
軸方向中央を有する管状のブランケットにおいて、
均一な厚さを有するキャリヤスリーブ層と、
圧縮可能層と、
圧縮可能層上の補強層と、
補強層上に配置された印刷層とが設けられており、
軸方向中央においてより厚くなるように補強層又は圧縮可能層の少なくとも一方が不均一な厚さを有しており、印刷層の外面が凸状であることを特徴とする、ブランケット。
【請求項２】
圧縮可能層が軸方向中央においてより厚い、請求項１記載のブランケット。
【請求項３】
補強層の厚さが均一である、請求項２記載のブランケット。
【請求項４】
補強層が軸方向中央においてより厚い、請求項１記載のブランケット。
【請求項５】
圧縮可能層の厚さが均一である、請求項４記載のブランケット。
【請求項６】
印刷層が軸方向中央においてより薄い、請求項１記載のブランケット。
【請求項７】
ブランケットが、ブランケットの幅に亘って均一な軸方向の印圧又は接触圧を提供する、請求項１記載のブランケット。
【請求項８】
印刷層が継目なしである、請求項１記載のブランケット。
【請求項９】
補強層が継目なしである、請求項１記載のブランケット。
【請求項１０】
圧縮可能層が継目なしである、請求項１記載のブランケット。
【請求項１１】
キャリヤスリーブ層が継目なしである、請求項１記載のブランケット。
【請求項１２】
イメージ胴と、均一な外径を有するブランケット胴と、イメージ胴と接触するようにブランケット胴上に配置された、請求項１記載の印刷ブランケットとが設けられていることを特徴とする、オフセット印刷ユニット。
【請求項１３】
イメージ胴が、軸方向で、周方向の像の数の少なくとも２倍の数の像を担持している、請求項１２記載のオフセット印刷ユニット。
【請求項１４】
イメージ胴が、軸方向で、周方向の像の数の少なくとも３倍の数の像を担持している、請求項１３記載のオフセット印刷ユニット。
【請求項１５】
イメージ胴が、軸方向で少なくとも４つの像を担持している、請求項１２記載のオフセット印刷ユニット。
【請求項１６】
軸方向中央を有するブランケットを製造する方法において、
均一な厚さを有するキャリヤスリーブ層上に、圧縮可能層を配置するステップと、
圧縮可能層上に補強層を配置するステップと、
補強層上に印刷層を配置するステップとを含み、
補強層又は圧縮可能層のうちの少なくとも一方が、軸方向中央においてより厚くなるように不均一な厚さを有しており、印刷層の外面が凸状であることを特徴とする、ブランケットを製造する方法。
【請求項１７】
補強層が、不均一な厚さを有しており、研削される、請求項１６記載の方法。
【請求項１８】
補強層が、ＣＮＣ制御を用いて研削される、請求項１７記載の方法。
【請求項１９】
印刷層が研削される、請求項１６記載の方法。
【請求項２０】
印刷層がＣＮＣ制御を用いて研削される、請求項１９記載の方法。
【発明の詳細な説明】
【技術分野】
【０００１】
本発明は概してオフセット印刷、特にオフセット印刷機のための印刷ブランケットに関する。
【０００２】
引用により本明細書に記載されたこととする、米国特許第６２８３０２７号明細書及び米国特許第６１０５４９８号明細書は、凹状及び凸状プロフィルを備えるブランケットを含む可変プロフィルブランケットを開示している。凹状ブランケット胴も開示されている。
【０００３】
米国特許第５５２２３１５号明細書及び米国特許第５８６３３６７号明細書は、ウェブを広げ、内方のしわ発生を回避するための、凸状の圧縮可能層を備えたブランケットを開示しており、このブランケットは均一な外周面を有している。
【０００４】
発明の簡単な概要
引用により本明細書に記載されたこととする、米国特許出願公開第２００５−０００５７９２号明細書はブランケットを開示しており、このブランケットは、ブランケット胴に配置された場合に少なくとも１つの軸方向で凹面を有するキャリヤスリーブ層と、キャリヤスリーブ層上に配置された印刷層とを有している。この出願において、例えば、均一な内径と凸状の外径とを有するキャリヤスリーブ層を有することによってキャリヤスリーブ層の凸形状が提供される。したがって、キャリヤスリーブ層自体は端部よりも軸方向中央においてより厚くなっている。択一的に、キャリヤスリーブの厚さは均一であることができ、ブランケット胴又はシムが表面凸形状を提供することもできる。
【０００５】
本発明の目的は、依然としてブランケットの凸状外部形状を提供しながら均一なキャリヤスリーブを提供することである。
【０００６】
本発明は、軸方向中央を有する管状ブランケットを提供し、この管状ブランケットには、
均一な厚さを有するキャリヤスリーブ層と、
圧縮可能な層と、
圧縮可能な層の上の補強層と、
補強層の上に配置された印刷層とが設けられており、
補強層又は圧縮可能な層のうちの少なくとも一方が、軸方向中央においてより厚くなるように不均一な厚さを有しており、印刷層の外面が凸状である。
【０００７】
より厚い中央を備えた補強層及び／又は圧縮可能層と、外部凸面印刷面との組み合わせは、中央における全体的なブランケット厚さを増大することによって均一な端部から中央までの印圧を提供することができる。中央における付加的な圧力により、胴のたわみ効果を相殺することができる。均一な暑さのキャリヤスリーブは製造を単純にする。
【０００８】
圧縮可能層は中央においてより厚く、このことは、端部から中央へのゲインの差を生ぜしめることができ、ウェブのしわを低減するようにウェブを引っ張って平らにし、横方向合致及びウェブ取扱いを改良する。
【０００９】
択一的に又は付加的に、補強層は、より厚い中央を備えた不均一な厚さを有することができる。補強層及び印刷層は有利には、コンピュータ数値制御（ＣＮＣ）研削盤、又は凹状研削マンドレルを用いて研削されることができる。ブランケットとマンドレル表面との接触を保証するために凹状研削マンドレルとともに真空が使用されることができる。
【００１０】
圧縮可能層又は補強層の一方が中央においてより厚くなっていさえすれば、他方の層の厚さは好適には均一である。
【００１１】
印刷層の厚さは均一又は不均一であることができる。好適には、印刷層は軸方向中央においてより薄くなっている。
【００１２】
層の形成は、好適には、ブランケット胴に配置された場合にブランケットが好適にはブランケットの幅に亘って均一な軸方向の印圧若しくは接触圧を提供するようにする。
【００１３】
印刷層、補強層及び圧縮可能な層は好適には継目なしである。
【００１４】
補強層は例えば巻かれた繊維又は織物、又は例えばウレタンから形成されることができる。
【００１５】
本発明によって、イメージ胴と、均一な外径を有するブランケット胴と、ブランケット胴上に配置されたブランケット胴とを含むオフセット印刷ユニットも提供される。
【００１６】
ブランケット胴及びブランケットは、大きな軸方向範囲を備える細いブランケット胴にとって最も有利である。なぜならば、これらのブランケット胴は最も曲がりやすいからである。したがって、ブランケットは有利には軸方向で少なくとも２つの像を担持しており、周方向で１つの像のみが担持されながら軸方向で少なくとも３つの像を担持することもできる。４つの軸方向像が最も有利であることもある。
【００１７】
図面の簡単な説明
本発明を以下の図面に関してさらに説明する。
【００１８】
図１は、不均一な厚さを有する圧縮可能層を備えた本発明の実施形態を概略的に示している。
【００１９】
図２は、不均一な厚さを有する補強層を備えた本発明の別の実施形態を概略的に示している。
【００２０】
詳細な説明
図１は、均一な半径の外面１１を有するブランケット胴１０を備えた印刷ユニット１を概略的に示している。ブランケット胴１０は金属、例えば鋼から形成されていることができる。ブランケット２０は、例えば軸方向に滑らせることによってブランケット胴１０に被さっており、ブランケット胴１０には、この目的のために、加圧された空気を提供するための空気穴が設けられていることもできる。
【００２１】
ブランケット２０は、例えばガラス繊維スリーブから形成されたキャリヤスリーブ層２２を有しており、このガラス繊維スリーブはドイツのAhaus-OttensterinのRotec GmbH & Co. KG から市販されている。キャリヤスリーブ層２２は好適には、ブランケット胴１０へのブランケット２０の軸方向配置を可能にするように管形状を維持するために十分に中実かつ剛性である一方で、ブランケット２０を胴１０に被せ嵌めるために必要な膨張を可能にするように十分にフレキシブルである。
【００２２】
キャリヤスリーブ２２の厚さは均一であり、ブランケット２０の軸方向端部におけるよりも軸方向中央区分においてより広くなっている圧縮可能層２４は、キャリヤスリーブ２２上に配置されている。圧縮可能層２４は例えばゴムであり、このゴムは、圧縮性を提供するために、ゴムに意図的に形成された気泡又はゴム内に配置された微小球体を含んでいる。
【００２３】
補強層２５、例えば均一な厚さの糸又は布の層、又は例えばウレタンは、圧縮可能な層２４の上に配置されている。研削可能な物質、例えばウレタンから形成されている場合、補強層は、例えばＣＮＣ研削盤又は凹状研削マンドレルを用いて研削されることができる。
【００２４】
印刷層２６は、外側層を形成しており、例えば中実なゴムから形成されることができる。印刷層２６は外側印刷面２７を有しており、この外側印刷面は、ブランケット２０がブランケット胴１０上に配置されておりかつブランケット２０に圧力が加えられていない場合に凸状である。印刷層２６の厚さは好適には不均一であり、軸方向中央においてより薄くなっている。印刷層２６は、例えばＣＮＣ研削装置又は凹状研削マンドレルを用いて所定の形状に研削されることができる。
【００２５】
印刷面２７には、イメージ胴、例えば、ブランケット２０が取り付けられるとブランケット２０と接触させられる版胴５、によってインキが供給される。イメージ胴は例えば軸方向で４つの像領域５Ａ，５Ｂ，５Ｃ，５Ｄを有しており、各像領域は、イメージ胴５の円周を占めている、いわゆる一周一像構成である。しかしながら、イメージ胴５は、周方向に間隔を置かれた２つ（又は３つ以上）の像を有する、いわゆる一周二像又は三像以上構成であることもできる。
【００２６】
好適には、軸方向の像の数は、周方向の像の数の少なくとも２倍であり、周方向の像の数の３倍、４倍又は５倍以上であることができる。なぜならば、本発明は、小直径、幅広のブランケットに関して最も有利であるからである。
【００２７】
図２は択一的なブランケット３０を示しており、この場合、圧縮可能な層３４の厚さは均一であり、補強層３５が中央においてより厚くなっており、その他のコンポーネントは図１の実施形態におけるものと同様である。
【００２８】
本発明は、ウェブを印刷するために特に有利であり、印刷機は好適にはオフセット平版ウェブ印刷機である。
【図面の簡単な説明】
【００２９】
【図１】不均一な厚さを有する圧縮可能な層を備えた本発明の実施形態を概略的に示している。
【図２】不均一な厚さを有する補強層を備えた本発明の別の実施形態を概略的に示している。
【符号の説明】
【００３０】
５  版胴、  １０，２０  ブランケット胴、  １１  印刷ユニット、  ２２  キャリヤスリーブ層、  ２４  圧縮可能な層、  ２５  補強層、  ２６  印刷層、  ２７  外側印刷面、  ３０  ブランケット、  ３４  圧縮可能な層、  ３５  補強層
【図１Ａ】
2007527813.tif 000003
【図１Ｂ】
2007527813.tif 000004
【図２Ａ】
2007527813.tif 000005
【図２Ｂ】
2007527813.tif 000006
【図２Ｃ】
2007527813.tif 000007
【図２Ｄ】
2007527813.tif 000008
【図２Ｅ】
2007527813.tif 000009
【図２Ｆ】
2007527813.tif 000010
【図２Ｇ】
2007527813.tif 000011
【図３Ａ】
2007527813.tif 000012
【図３Ｂ】
2007527813.tif 000013
【図４Ａ】
2007527813.tif 000014
【図４Ｂ】
2007527813.tif 000015
【手続補正書】
【提出日】平成18年9月13日(2006.9.13)
【手続補正１】
【補正対象書類名】図面
【補正対象項目名】全図
【補正方法】変更
【補正の内容】
【図１】
2007527813.tif 000016
【図２】
2007527813.tif 000017
【国際調査報告】
2007527813.tif 000018